(57)【要約】【課題】記載台において何らかの情報を印刷した用紙をユーザに提供する場合の使い易さを向上させる。【解決手段】記載台は、天板を備える筐体と、筐体の内部に設けられた、印刷機を収容するための収容部とを有し、収容部内に、印刷機によって印刷された用紙を、印刷機の排紙口から天板上に排出する経路となる排紙ガイドを備える。【選択図】図２
2018000864.tif 000002
【特許請求の範囲】
【請求項１】
天板を備える筐体と、
前記筐体の内部に設けられた、印刷機を収容するための収容部と、
を有し、
前記収容部内に、前記印刷機によって印刷された用紙を、前記印刷機の排紙口から前記天板上に排出する経路となる排紙ガイドを備える
記載台。
【請求項２】
所定のＩＣ（Integrated Circuit）カードから情報を読み取るＩＣカードリーダと、
前記ＩＣカードリーダと前記印刷機とに接続され、前記ＩＣカードリーダが読み取った情報を、前記印刷機に印刷させるコンピュータと、
をさらに備える
請求項１に記載の記載台。
【請求項３】
前記筐体は、前記天板よりも上方に、前記コンピュータの表示部を保持する正面パネルをさらに有し、
前記正面パネル又は前記天板は、前記印刷機によって印刷された用紙を前記天板上に排出する用紙取出口を備え、
前記排紙ガイドの一端は、前記用紙取出口の縁に接続される
請求項２に記載の記載台。
【請求項４】
前記収容部は、前記印刷機を載置する載置棚を備え、
前記載置棚は、前記排紙口が前記排紙ガイドの他端に位置合わせされるように前記印刷機を配置するためのマーカを備える
請求項３に記載の記載台。
【請求項５】
前記正面パネルは、上方に開閉可能に前記筐体と接続され、
前記排紙ガイドは、前記正面パネルが備える前記用紙取出口の縁に接続され、
前記載置棚は前記筐体の外に引き出し可能に備えられると共に、前記筐体は前記載置棚の引き出し操作を規制するロック機構を備え、
前記ロック機構は、前記正面パネル及び前記排紙ガイドが上方に開放された状態において、引き出し操作の規制を解除する
請求項４に記載の記載台。
【請求項６】
前記ＩＣカードは、複数の情報を保持しており、
前記コンピュータは、前記複数の情報の各々を印字する位置が規定された書類情報を複数記憶する記憶装置と、ユーザから複数の前記書類情報のいずれかを選択する操作を受け付ける入力装置とを備え、
前記コンピュータは、前記ユーザが選択した前記書類情報に対して規定された位置に、前記ＩＣカードから読み取った情報を印刷させる
請求項２から５のいずれか一項に記載の記載台。
【発明の詳細な説明】
【技術分野】
【０００１】
本発明は、記載台に関する。
【背景技術】
【０００２】
従来、申請書に記載する必要のある利用者の情報をＩＤカードおよび装置内の補助記憶装置、端末装置に通信接続されたホストコンピュータのデータベース格納手段から取得し、各データを合成して、必要事項が記載済みの申請書を印刷し、発行する申請書発行装置が提案されている（例えば、特許文献１）。
【０００３】
また、用紙を出し入れできるように上端が開口したケース本体と、ケース本体の内部を水平方向に隣接する２つの収納空間に仕切る仕切り板と、各収納空間に収納される用紙の下端を支持するべくケース本体と仕切り板とに架け渡して着脱可能に取り付けられる支持体と、収納する用紙の種類に応じて支持体の取り付け位置を各収納空間ごとに変更可能とするべく配置された支持体取付部とを備えるケース、及び当該ケースを備えた記載台が提案されている（例えば、特許文献２）。
【先行技術文献】
【特許文献】
【０００４】
【特許文献１】特開平１０−６６０２号公報
【特許文献２】特開２０１３−３９２８８号公報
【発明の概要】
【発明が解決しようとする課題】
【０００５】
利用者が例えば申請書等に必要事項を記入するための記載台において、予め一部の情報を印字した用紙を提供すれば、利用者は記入の手間が軽減され利便性が高まる。しかしながら、書類の発行装置のような場合と異なり、記載台において利用者ごとの記入用紙を提供することは一般的でなく、使い方がわかり難いものとなるおそれがあった。そこで、本発明は、記載台において何らかの情報を印刷した用紙をユーザに提供する場合の使い易さを向上させることを目的とする。
【課題を解決するための手段】
【０００６】
本発明に係る記載台は、天板を備える筐体と、筐体の内部に設けられた、印刷機を収容するための収容部とを有し、収容部内に、印刷機によって印刷された用紙を、印刷機の排紙口から天板上に排出する経路となる排紙ガイドを備える。
【０００７】
このようにすれば、使用者の視界にある天板上に用紙が提供されるため、用紙の取出し口がわからなくなるようなことがない。すなわち、記載台において何らかの情報を印刷した用紙をユーザに提供する場合の使い易さを向上させることができる。
【０００８】
また、記載台は、所定のＩＣ（Integrated Circuit）カードから情報を読み取るＩＣカードリーダと、ＩＣカードリーダと印刷機とに接続され、ＩＣカードリーダが読み取った情報を、印刷機に印刷させるコンピュータとをさらに備えるようにしてもよい。このようにすれば、ＩＣカードから読み取った情報を予め用紙に印刷することができ、使用者の記入の手間を削減することができる。
【０００９】
また、筐体は、天板よりも上方に、コンピュータの表示部を保持する正面パネルをさらに有し、正面パネル又は天板は、印刷機によって印刷された用紙を天板上に排出する用紙
取出口を備え、排紙ガイドの一端は、用紙取出口の縁に接続されるようにしてもよい。具体的には、このような構成により、用紙を天板上に提供することができるようになる。
【００１０】
また、収容部は、印刷機を載置する載置棚を備え、載置棚は、排紙口が排紙ガイドの他端に位置合わせされるように印刷機を配置するためのマーカを備えるようにしてもよい。印刷機は、その排紙口が排紙ガイドと位置合わせされて配置される必要があるが、一方でメンテナンス等のために移動させられることもある。上記のようなマーカを設けることにより、位置合わせを容易に且つ正確に行うことができるようになる。
【００１１】
また、正面パネルは、上方に開閉可能に筐体と接続され、排紙ガイドは、正面パネルが備える用紙取出口の縁に接続され、載置棚は筐体の外に引き出し可能に備えられると共に、筐体は載置棚の引き出し操作を規制するロック機構を備え、ロック機構は、正面パネル及び排紙ガイドが上方に開放された状態において、引き出し操作の規制を解除するようにしてもよい。用紙取出口から印刷機の排紙口に向けて排紙ガイドを設ける場合、載置棚をスライドさせると排紙ガイドが印刷機と接触してしまうおそれがある。上述のような構成とすれば、排紙ガイドを上方へ移動させた上で載置棚をスライド可能にさせることができる。
【００１２】
また、ＩＣカードは、複数の情報を保持しており、コンピュータは、複数の情報の各々を印字する位置が規定された書式情報を複数記憶する記憶装置と、ユーザから複数の書式情報のいずれかを選択する操作を受け付ける入力装置とを備え、コンピュータは、ユーザが選択した書式情報に対して規定された位置に、ＩＣカードから読み取った情報を印刷させるようにしてもよい。具体的には、このような構成により、ＩＣカードから読み取った情報を印刷することができる。
【００１３】
なお、課題を解決するための手段に記載の内容は、本発明の課題や技術的思想を逸脱しない範囲で可能な限り組み合わせることができる。
【発明の効果】
【００１４】
本発明によれば、記載台において何らかの情報を印刷した用紙をユーザに提供する場合の使い易さを向上させることができる。
【図面の簡単な説明】
【００１５】
【図１】本実施形態に係る記載台を正面側上方から見た斜視図である。
【図２】記載台が備える扉やパネルを開放し、記載台の内部を示す斜視図である。
【図３】記載台の右側面図である。
【図４】記載台の正面図である。
【図５】記載台の平面図である。
【図６】記載台の背面図である。
【図７】スライド棚の摺動を規制するロック機構を説明するための図である。
【図８】本実施形態に係るシステム構成の一例を示す機能ブロック図である。
【図９】本実施形態に係るシステムの処理の一例を示す処理フロー図である。
【図１０】記憶部に記憶されている書式に関する情報の一例を示す図である。
【図１１】印刷機が印刷する書類の一例を示す図である。
【発明を実施するための形態】
【００１６】
次に、本発明に係る記載台の実施形態について、図面に基づいて説明する。なお、以下で説明する実施形態は本発明を実施するための例示であり、本発明は以下で説明する態様に限定されない。
【００１７】
＜構成＞
図１は、本実施形態に係る記載台１を正面側上方から見た斜視図である。図２は、記載台１が備える扉やパネルを開放し、記載台１の内部を示す斜視図である。また、図３は記載台１の右側面図、図４は記載台１の正面図、図５は記載台１の平面図、図６は記載台１の背面図を示す。なお、記載台１のうち使用者が位置する側を正面（前）、その反対側を背面（後）、使用者から見て左右を、それぞれ左側面、右側面とする。また、後述するとおり、記載台１はその筐体内部にスライド棚を有し、前方に引き出すことができるようになっている。図３は、実線でスライド棚を引き出した状態を示し、破線でスライド棚を収容した状態を示している。また、記載台１の左側面は、右側面図とほぼ左右対称になっている。
【００１８】
記載台１は、筐体２と、側面パネル３と、コンピュータ４と、カードリーダ（ＩＣ（Integrated Circuit）カードリーダ）５と、印刷機（プリンタ）６とを備える。記載台１は、例えば国や地方公共団体の事務所、民間企業の店舗等に設けられ、使用者が何らかの申請書や申込書等の書類を記載するための机として用いることができる。また、記載台１は、筐体２の内部にコンピュータ４、カードリーダ５、印刷機６等を収容する収容部を有する。そして、記載台１は、複数の書類のうち使用者が希望する書類に対し、その記入項目の少なくとも一部に使用者の情報を予め印字した用紙を提供することができる。具体的には、カードリーダ５は、例えば個人番号（マイナンバー（登録商標））カードのようなＩＣカードを読み取り、保持されている氏名、住所、生年月日、個人番号等の情報をコンピュータ４に出力する。コンピュータ４は、ＩＣカードが読み出した情報を、使用者が選択した申請書等の書式に応じた位置に、印刷機６に印字させる。
【００１９】
筐体２は、天板２１と、正面パネル２２と、正面扉２３と、排出口（「用紙取出口」とも呼ぶ）２４と、スライド棚（「載置棚」とも呼ぶ）２５とを備え、筐体２の収容部内には、スライド棚２５と、ロック機構２６と、ダンパ２７とを備える。天板２１は、ほぼ水平に設けられる板であり、使用者がその上で書類に所定事項を記入することができる。なお、本実施形態では、用紙の少なくとも一部の項目に対しＩＣカードから読み出した情報を印字し、申請書等の書類に応じたその他の項目には使用者が自ら内容を記入するものとする。
【００２０】
正面パネル２２は、天板２１の鉛直上方且つ天板２１の奥（後方）に設けられ、コンピュータ４及びカードリーダ５を保持する。正面パネル２２は、筐体２の後方上部を軸として回動し、開閉するようになっている。また、正面パネル２２は、筐体２の上部にほぼ水平に設けられた水平部２２１と、使用者からの視線方向に対してほぼ垂直に角度が付けられた傾斜部２２２と、天板２１の近傍にほぼ鉛直に設けられた鉛直部２２３とを有する。また、傾斜部２２２には開口部が設けられ、コンピュータ４が備えるタッチパネル等の入出力部を筐体２の外から操作したり、カードリーダ５に筐体２の外から所定のＩＣカード等を接触させることができるようになっている。また、鉛直部２２３には、収容部内の印刷機６から天板２１上に用紙を排出するための排出口２４が設けられている。また、収容部内には、排出口２４の縁から印刷機６の排紙口へ向けて、排紙ガイド２４１が設けられている。排紙ガイド２４１は、印刷機６によって印刷された用紙を天板２１上へ排出するための経路となる。
【００２１】
スライド棚２５は、天板２１の下方、筐体２の収容部内に設けられる棚板である。スライド棚２５の上には、印刷機６を載置することができる。なお、本実施形態に係る印刷機６は、市販のプリンタ等であり、印刷機６の上部に、印刷後の用紙を排出する排紙口６１を備えている。また、スライド棚２５は、その前方底面側に、キャスタを有する補助脚２５１を備えると共に、スライド棚２５の側面にはスライドレール（引き出しレール）２５２を備える。スライドレール２５２は、筐体２の収容部の壁面に設けられたローラ部材（
図示せず）と摺動可能に係合し、スライド棚２５を収容部内において所定の高さに保持すると共に、スライド棚２５を前方に引き出し可能にしている。また、正面扉２３は、スライド棚２５を収容部内に収容した状態において閉めることができる観音開きの扉である。正面扉２３に鍵穴を設け、扉を閉じた状態で鍵をかけられるようにしてもよい。また、スライド棚２５上には、印刷機６を載置する位置を示すマーカ２５３が設けられている。マーカ２５３は、図２に示すような、印刷機６を載置する位置の平面視上における外縁を示す部材であってもよいし、スライド棚２５上に設けられた、印刷機６の脚部材を挿入することができる溝（図示せず）等であってもよい。
【００２２】
また、ダンパ２７は、正面パネル２２と筐体２の収容部の壁面とに接続され、主として正面パネル２２を閉じる場合の勢いを減衰させる。
【００２３】
また、側面パネル３は、天板２１の側端上方に、天板２１の奥から手前の端に亘って設けられ、記載台１の側方から第三者に天板２１上を覗き込まれることを防止する。
【００２４】
また、図６に示すように、筐体２の背面には、観音開きの背面扉２８を備えている。背面扉２８は、印刷機６が収容される高さに排気口２８１を備えている。また、背面扉２８も、閉じた状態において鍵をかけられるよう鍵部２８２を設けるようにしてもよい。また、筐体２の収容部には、背面上部であって、背面扉２８の内側に、両側面に横架された横架部材２８３を備える。横架部材２８３は、正面パネル２２の後方上端と丁番２２４を介して接続されており、丁番２２４は、正面パネル２２が開閉する際の回動動作の中心軸となる。また、図６に示すように、筐体２の収容部の背面側にはコンピュータ等のケーブルや電源アダプタ等を載置する棚２９を備えている。
【００２５】
図７は、スライド棚２５の摺動を規制するロック機構２６を説明するための図である。スライド棚２５は、その側部に、ロック機構２６と嵌合する切り欠き２５４を備える。ロック機構２６は、正面パネル２２の回動と連動して上下する棒状の留め具２６１と、正面パネルの回動運動を留め具２６１の上下運動に変換するアーム２６２とを有する。なお、留め具２６１は、筐体２の収容部の壁面に設けられたローラ２６３と係合し、図７に一点差線矢印で示す鉛直方向に直線運動するようになっている。また、正面パネル２２を閉じた状態においては留め具２６１はスライド棚２５の切り欠き２５４に挿入され、スライド棚２５が引き出せないようになる。一方、先に正面パネル２２を閉じた状態において、後にスライド棚２５を引き出された状態から収容部に収容させた場合、スライド棚２５の奥側の端部が留め具２６１と接触し、所定の位置よりも奥へスライド棚２５がスライドしないようになっている。すなわち、ロック機構２６は、正面パネル２２及び排紙ガイド２４１が上方に開放された状態において、スライド棚２５の引き出し操作の規制を解除する。例えば図３からわかるように、排紙ガイド２４１の端部が印刷機６の排紙口６１近傍まで伸びており、排紙ガイド２４１の位置をそのままにしてスライド棚２５を引き出すと印刷機６と排紙ガイド２４１とが接触してしまう。そこで、本実施形態では、正面パネル２２を上方へ跳ね上げると共に正面パネル２２と接続された排紙ガイド２４１も上方へ移動させ、スライド棚２５を引き出しても排紙ガイド２４１が印刷機６と干渉しないようにしている。
【００２６】
＜作用・効果＞
上述の記載台１によれば、印刷機６の機能によって排紙口６１から出力される用紙を、排紙ガイド２４１上を通過させ、排出口２４から天板２１上へ排出することができる。記載台１の使用者は、例えばコンピュータ４を操作して用紙の出力を指示した後、自分の視界にある天板２１上に用紙が提供されるため、仮に記載台１の利用が初めてであっても用紙の取出し口がわからなくなるようなことがない。すなわち、記載台において何らかの情報を印刷した用紙をユーザに提供する場合の使い易さを向上させることができる。また、
記載台１のスライド棚２５は、印刷機６を載置する位置を表すマーカ２５３を有しており、印刷機６を載置する位置がわかり易くなっている。印刷機６から排紙ガイド２４１を介して排出口２４へスムーズに用紙を出力するためには、筐体２内において位置あわせを正確に行う必要がある一方、印刷機６への用紙やトナー、インク等といった消耗品の補充等、メンテナンスを行う際に印刷機６を動かすこともある。マーカ２５３を設けることで、メンテナンス後の位置あわせが容易になり、排紙の不具合を減らすことができる。また、メンテナンスを容易にするため、スライド棚２５は筐体２の手前に引き出すことができるようになっている。しかしながら、本実施形態では、印刷機６の上部に出力される用紙をさらに天板２１上へ排出するため、排出口２４から印刷機６の排紙口６１近傍まで板状の排紙ガイド２４１が伸びており、スライド棚２５をスライドさせた場合に印刷機６と排紙ガイド２４１とが接触するおそれがある。そこで、正面パネル２２を上方に開き、排紙ガイド２４１を上方に移動させた状態でなければスライド棚２５のスライド操作を規制するためのロック機構２６を設けている。
【００２７】
＜システム構成＞
図８は、本実施形態に係るシステム構成の一例を示す機能ブロック図である。本実施形態に係るコンピュータ４は、カードリーダ５及び印刷機６と、それぞれ所定のインターフェースを介して接続される。また、コンピュータ４は、プロセッサ４１と、入出力装置４２と、記憶部４３とを備える。プロセッサ４１は、例えばＣＰＵ（Central Processing Unit）等の処理装置であり、プロセッサ４１は所定のプログラムに従って動作することに
より、カード情報読出部４１１、書類選択受付部４１２、書類情報取得部４１３、及び印刷制御部４１４として機能する。
【００２８】
入出力装置４２は、例えばタッチパネル等であり、ユーザの操作を受け付ける。なお、入出力装置４２は、液晶モニタ等の出力装置と、キーボードやマウス等の入力装置とに分かれていてもよい。
【００２９】
記憶部４３は、ＨＤＤ（Hard Disk Drive）やＳＳＤ（Solid State Drive）、フラッシュメモリ等のような記憶装置であり、本実施形態においては書類そのものの情報のほか、所定項目の位置等を示すフォーマット（書式）に関する情報を保持しているものとする。具体的には、ＩＣカードから読み出した複数の情報の各々を印字する位置が規定された書式情報を、複数の書類について記憶している。また、記憶部４３は、いわゆるメモリのように一時的に情報を保持する装置も含むものとする。カードリーダ５は、例えば無線通信を利用して非接触で所定のカードに記憶されている情報を読み出すことができる。また、印刷機６は、一般的なプリンタであり、コンピュータ４からの指示を受けて所定の内容を印刷する。
【００３０】
＜システムの処理＞
図９は、本実施形態に係るシステムの処理の一例を示す処理フロー図である。使用者が所定のカードをカードリーダ５にかざすと、コンピュータ４のカード情報読出部４１１は、カードリーダ５を介して、ＩＣカードから氏名、生年月日、性別、住所等を示す情報を読み出す（図９：Ｓ１）。なお、使用者に対し、ＩＣカードから情報を読み出す際に所定のパスワードを入力させるようにしてもよい。読み出した情報は例えば記憶部４３に一時的に保持される。
【００３１】
また、書類選択受付部２１２は、入出力装置４２に対する使用者の操作に基づいて、印刷する書類の選択を受け付ける（Ｓ２）。本ステップでは、書類選択受付部２１２は、たとえばタッチパネル上に表示された複数の書類の選択肢から、使用者が選択した書類を示す情報を取得する。
【００３２】
その後、書類情報取得部４１３は、書類選択受付部４１２が取得した情報に基づいて、記憶部４３から書類のデータ及び当該書類の書式等に関する情報を取得する（Ｓ３）。
【００３３】
図１０は、記憶部４３に記憶されている書式に関する情報の一例を示す図である。図１０の表は、書類識別情報と、氏名と、生年月日と、性別と、住所と、番号との属性を有する。そして、各フィールドには、当該項目を印刷する位置と、文字の大きさを示す情報とが登録される。なお、図１０の例では位置を座標として表しているが、各項目を印刷する位置は、所定のワープロソフトや文書ソフトにおいてテキストの入力箇所に対して設定された識別情報等であってもよく、印刷可能な領域を示す情報であってもよい。また、書式に関する情報は、書体や割り付けに関するより多くの情報を含んでいてもよい。書式に関する情報は、書類の種類ごとに１つのレコードが登録される。Ｓ３では、書類情報取得部４１３は、例えば書類識別情報に基づいて、使用者が選択した書類に関するレコードを読み出す。
【００３４】
そして、印刷制御部４１４は、印刷機６に対し所定の書類の印刷を指示する（Ｓ４）。本ステップでは、印刷制御部４１４は、所定の書類のフォーマットを示す情報を読出し、Ｓ１においてＩＣカードから読み出した情報を所定の印刷位置に印刷する。
【００３５】
図１１は、印刷機６が印刷する書類の一例を示す図である。図１１の例は、住所変更に関する申請書を表している。印刷制御部４１４は、Ｓ３で取得した書類のデータに対し、Ｓ１でＩＣカードから読み出した使用者の情報の少なくとも一部を印刷する。図１１の例では、氏名、生年月日、性別、及び旧住所の欄に、Ｓ１で読み出した情報を印刷している。なお、本実施形態では、ＩＣカードから読み出した情報だけでなく、各書類の枠や記入項目等も印刷するものとする。また、新住所等の欄には、印刷機６で印刷された後に使用者が記入するものとする。なお、図９の処理は、Ｓ１及びＳ２の処理は入れ替えてもよい。
【００３６】
＜作用・効果＞
本実施形態に係るシステムによれば、ＩＣカードから読み出した情報の少なくとも一部を予め書類に印刷し、使用者に提供することができる。このようにすれば、使用者が記入する項目を減らすことができ、使用者の手間が省けると共に誤りも防止できる。また、同一の項目の記入位置が異なる複数の書類について、記憶部４３に書式等の情報を保持しており、使用者が選択した書類に応じて適切な位置に必要な項目を印刷することができる。また、書類の様式を変更したり、提供する書類を追加したりする場合には、各書類の識別情報に対応付けて、所定の項目を印刷する位置及び当該項目の文字サイズを登録するだけで、様々な書式の書類を提供することができるようになる。
【００３７】
＜変形例＞
上述の実施形態では、排出口２４は、正面パネル２２上であって天板２１の近傍に設けられたが、例えば天板２１上の奥側に設けるようにしてもよい。同様に、排出口２４は、天板２１及び正面パネル２２にそれぞれ設けられた切欠きを合わせる事で排出口２４が形成されるようにしてもよい。いずれの場合も、印刷機６の排紙口６１から排出口２４まで用紙を案内する排紙ガイドを設けることにより、用紙を天板２１上に出力することができる。
【００３８】
また、印刷機６は、筐体２の収容部のうち、天板２１よりも上方の正面パネル２２の裏に収容するようにしてもよい。このような構成にすれば、印刷機６よりも下方の天板２１上に用紙を排出することが容易になる。一方、上述の実施形態のように印刷機６を天板２１よりも下方に収容する構成であれば、天板２１よりも下方に位置する印刷機６の排紙口６１から、上方の天板２１上に向かって排紙ガイド２４１を設ける必要があるが、正面パ
ネル２２の奥行きを短くして記載台１を小型化できると共に、印刷機６を引き出してメンテナンスし易くするスライド棚２５を設けることが容易になる。
【符号の説明】
【００３９】
１      ：記載台
２      ：筐体
２１    ：天板
２２    ：正面パネル
２３    ：正面扉
２４    ：排出口
２４１  ：排紙ガイド
２５    ：スライド棚
２５１  ：補助脚
２５２  ：スライドレール
２５３  ：マーカ
２５４  ：切り欠き
２６    ：ロック機構
２６１  ：留め具
２６２  ：アーム
３      ：側面パネル
４      ：コンピュータ
４２    ：入出力装置
４３    ：記憶部
５      ：カードリーダ
６      ：印刷機
６１    ：排紙口
【図１】
2018000864.tif 000003
【図２】
2018000864.tif 000004
【図３】
2018000864.tif 000005
【図４】
2018000864.tif 000006
【図５】
2018000864.tif 000007
【図６】
2018000864.tif 000008
【図７】
2018000864.tif 000009
【図８】
2018000864.tif 000010
【図９】
2018000864.tif 000011
【図１０】
2018000864.tif 000012
【図１１】
2018000864.tif 000013